(57)【要約】【課題】簡易な構成で、色の持つイメージが同一または近いもの同士を確認することができ、容易に展示内容を変更することができる外壁の展示構造の提供。【解決手段】外壁の展示構造１は、上下方向へ沿って配置される壁状の支持体２と、支持体２に磁力により着脱可能に設けられるシート状のマップ３と、マップ３を介して支持体２に磁力により着脱可能に設けられる複数の板状のサンプル片４とを備える。マップ３の前面には、色のイメージ毎に区分けされた複数の色味領域８が形成されている。複数のサンプル片４は、色の異なる複数の外壁材からなり、マップ３の対応する色味領域８に配置される。【選択図】図１
2020052185.tif 000002
【特許請求の範囲】
【請求項１】
上下方向へ沿って配置される支持体と、
前記支持体に設けられ、色のイメージ毎に区分けされた複数の色味領域が形成されたマップと、
色の異なる複数の外壁材からなり、前記マップの対応する前記色味領域において、前記マップを介して前記支持体に磁力により着脱可能に設けられる複数のサンプル片と
を備えることを特徴とする外壁の展示構造。
【請求項２】
前記マップは、前記支持体に磁力により着脱可能に設けられる
ことを特徴とする請求項１に記載の外壁の展示構造。
【請求項３】
前記複数のサンプル片には、凹凸加工によりデザインが施されており、
前記デザインは、前記支持体から前記複数のサンプル片が取り外された状態において、前記複数のサンプル片が互いに並べられた際に連続したデザインとなる
ことを特徴とする請求項１または請求項２に記載の外壁の展示構造。
【発明の詳細な説明】
【技術分野】
【０００１】
本発明は、住宅の外壁の展示に関するものであり、特に、複数種の外壁材がまとめて配置された外壁の展示構造に関するものである。
【背景技術】
【０００２】
住宅展示場において、住宅に用いられる複数種の外壁材を見学することができるように、種々の提案がなされている。たとえば、本件出願人は、先に、下記特許文献１に開示される外壁材選択装置を提案している。この外壁材選択装置では、外壁ボードは、外壁材が一定の大きさの板状部材に形成されたものであり、色などの機能別に分類された状態で、展示パネルに配置されて展示されている。従って、住宅建築予定者は、複数の外壁ボードを一望することができ、それぞれの嗜好に合った外壁材を選択することができる。
【０００３】
また、外壁材選択装置では、外壁ボードは、その上下両端部に設けられた金具の部分がそれぞれ、展示パネルに設けられた上下のレールに嵌入されることで、展示パネルに着脱可能に設けられている。従って、外壁ボードを展示パネルに取り付けたり、外壁ボードを展示パネルから取り外したりして、展示内容を変更することができる。
【先行技術文献】
【特許文献】
【０００４】
【特許文献１】特開平１１−１５３９４２号公報
【発明の概要】
【発明が解決しようとする課題】
【０００５】
しかしながら、従来の外壁材選択装置の場合、単に色毎に外壁ボードが分類されているだけなので、色の持つイメージが同一の複数の外壁ボードを容易に確認することができない。従って、外壁材を選択する際、色そのものだけではなく、色の持つイメージから選択する際に容易に対処できない装置となっている。また、従来の外壁材選択装置の場合、展示パネルのレールに金具付きの外壁ボードが取り付けられるので、複雑で設置にコストがかかる構成となっている。
【０００６】
本発明は、このような問題に鑑みてなされたものであり、その主たる目的は、簡易な構成で、色の持つイメージが同一または近いもの同士を確認することができ、容易に展示内容を変更することができる外壁の展示構造を提供することにある。
【課題を解決するための手段】
【０００７】
上記目的を達成するための本発明に係る外壁の展示構造は、上下方向へ沿って配置される支持体と、前記支持体に設けられ、色のイメージ毎に区分けされた複数の色味領域が形成されたマップと、色の異なる複数の外壁材からなり、前記マップの対応する前記色味領域において、前記マップを介して前記支持体に磁力により着脱可能に設けられる複数のサンプル片とを備えることを特徴とする。
【０００８】
また、本発明に係る外壁の展示構造は、前記マップは、前記支持体に磁力により着脱可能に設けられることを特徴とする。
【０００９】
さらに、本発明に係る外壁の展示構造は、前記複数のサンプル片には、凹凸加工によりデザインが施されており、前記デザインは、前記支持体から前記複数のサンプル片が取り外された状態において、前記複数のサンプル片が互いに並べられた際に連続したデザインとなることを特徴とする。
【発明の効果】
【００１０】
本発明に係る外壁の展示構造によれば、複数のサンプル片は、それが持つ色に対応する色味領域に配置される。従って、色の持つイメージ毎に区分けされた状態で、複数のサンプル片をまとめて展示することができる。この際、複数のサンプル片は、色味領域を有するマップを介して、支持体に磁力により着脱可能とされる。従って、支持体からサンプル片を容易に取り外したり、支持体にサンプル片を容易に取り付けたりすることができ、色味領域に配置されるサンプル片を変更して、展示内容を容易に変更することができる。
【００１１】
また、本発明に係る外壁の展示構造によれば、マップが支持体に磁力により着脱可能とされるので、色の持つイメージの内容を容易に変更することができる。
【００１２】
さらに、本発明に係る外壁の展示構造によれば、支持体から取り外された複数のサンプル片が互いに並べられた際に、表面のデザインが連続したデザインとなるように、各サンプル片に凹凸加工によりデザインが施されている。従って、住宅に色の異なる外壁材を用いることを検討する場合に有用である。デザインを統一しつつ、色の異なる外壁材を用いる場合には、一方の色の外壁材と他方の色の外壁材とにわたって、連続したデザインとなる。前述したようにサンプル片にデザインが施されることで、サンプル片を並べた際に、実際の場合に近い状態を再現することができ、実際の住宅の外観を確認することができる。
【図面の簡単な説明】
【００１３】
【図１】本発明の外壁の展示構造の一実施例を示す概略斜視図である。
【図２】図１におけるＡ部拡大図である。
【図３】図１の外壁の展示構造の概略縦断面図であり、一部を拡大して示している。
【図４】図１の外壁の展示構造のサンプル片を互いに並べた状態を示す概略斜視図である。
【図５】図１の外壁の展示構造が展示施設内に設置された状態を示す概略平面図である。
【発明を実施するための形態】
【００１４】
以下、本発明の外壁の展示構造の具体的実施例を図面に基づいて詳細に説明する。
【００１５】
図１から図５は、本発明の外壁の展示構造の一実施例を示す概略図であり、図１は概略斜視図、図２は図１におけるＡ部拡大図、図３は一部を拡大して示す概略縦断面図、図４はサンプル片を並べた状態を示す概略斜視図、図５は使用状態を示す概略平面図である。本実施例の外壁の展示構造１は、リフォーム後の住宅の外壁材を展示するものであり、展示施設内の任意の位置に配置される。本実施例の外壁の展示構造１は、上下方向へ沿って配置される支持体２と、支持体２に着脱可能に設けられるマップ３と、マップ３を介して支持体２に着脱可能に設けられる複数のサンプル片４とを備える。
【００１６】
支持体２は、左右方向を長手方向とする正面視略長方形の壁状に形成されている。壁状の支持体２は、板面を前後に向けて、展示施設の床面に設置される。支持体２の内部には、前方に鉄板などからなる板状の磁性体５が設けられる。このようにして、本実施例では、支持体２内に磁性体５が設けられたが、支持体２の前面に磁性体５を設けてもよいし、支持体２自体を磁性体５から形成してもよい。
【００１７】
マップ３は、左右方向を長手方向とする正面視略長方形のシート状に形成されており、支持体２への吸着層６と、吸着層６に積層される装飾層７とを有している。吸着層６は、マップ３を磁性体５に吸着保持できるように、シート状の磁石から形成されている。装飾層７は、シート状とされ、前面に色のイメージ毎に区分けされた複数の色味領域８が形成されている。本実施例では、装飾層７の前面に、次のようにして複数の色味領域８が形成される。
【００１８】
図１に示されるように、装飾層７の前面には、上下方向へ沿って配置される縦軸９と、縦軸９と交差するようにして左右方向へ沿って配置される横軸１０とが形成されている。縦軸９は、相反する一対の色のイメージの度合を示す軸であり、上方へ行くに従って一方の色のイメージの度合が強くなり、下方へ行くに従って他方の色のイメージの度合が強くなることを示している。一方、横軸１０は、縦軸９で示されたものとは異なる、相反する一対の色のイメージの度合を示す軸であり、左方へ行くに従って一方の色のイメージが強くなり、右方へ行くに従って他方の色のイメージが強くなることを示している。従って、装飾層７の前面には、縦軸９の一方の色のイメージおよび横軸１０の一方の色のイメージを持つ色味領域８ａ、縦軸９の一方の色のイメージおよび横軸１０の他方の色のイメージを持つ色味領域８ｂ、縦軸９の他方の色のイメージおよび横軸１０の一方の色のイメージを持つ色味領域８ｃ、および縦軸９の他方の色のイメージおよび横軸１０の他方の色のイメージを持つ色味領域８ｄがそれぞれ、左上の部分、右上の部分、左下の部分および右下の部分に形成されている。
【００１９】
本実施例では、縦軸９の相反する色のイメージは、柔らかい印象を与えるという意味の「Ｓｏｆｔ」と、硬い印象を与えるという意味の「Ｈａｒｄ」とされている。この縦軸９は、上方へ行くに従って「Ｓｏｆｔ」の度合が強くなり、下方へ行くに従って「Ｈａｒｄ」の度合が強くなることを示している。一方、横軸１０の相反する色のイメージは、暖かい印象を与えるという意味の「Ｗａｒｍ」と、冷たい印象を与えるという意味の「Ｃｏｏｌ」とされている。この横軸１０は、左方へ行くに従って「Ｗａｒｍ」の度合が強くなり、右方へ行くに従って「Ｃｏｏｌ」の度合が強くなることを示している。なお、縦軸９および横軸１０における相反する色のイメージは、これに限定されるものではなく、一対の相反する色のイメージである概念であればよい。たとえば、明るい色合いを意味する「Ｌｉｇｈｔ」と、暗い色合いを意味する「Ｄａｒｋ」とで示してもよいし、住宅業界で定着した一対の相反する概念である「Ｍｏｄｅｒｎ」と「Ｃｌａｓｓｉｃ」とで示してもよい。
【００２０】
マップ３は、シート状の磁石から形成された吸着層６を後方に有している。一方、支持体２は、内部に磁性体５が設けられる。従って、マップ３は、色味領域８が形成された装飾層７を前方に向けて、支持体２に磁力により着脱可能に設けられる。
【００２１】
複数のサンプル片４は、色の異なる複数の外壁材からなり、それぞれ色合いが異なって形成されている。各サンプル片４は、正面視略四角形の板状とされ、実際に施工される外壁材から形成されている。なお、各サンプル片４は、実際に施工される外壁材が厚い場合には、実際に施工される外壁材よりも厚みが薄く形成されている。各サンプル片４の後面には、磁性体５に吸着保持できるように、上下方向略中央部に板状の磁石１１が設けられる。各サンプル片４の前面には、凹凸加工によりデザインが施されている。
【００２２】
このデザインは、その構成を特に問わないが、支持体２から複数のサンプル片４が取り外された状態において、複数のサンプル片４が互いに並べられた際に連続したデザインとなるように、各サンプル片４の前面に形成されているのが好ましい。本実施例では、各サンプル片４の前面には、後方へ凹んで複数の溝１２が上下に互いに離隔して形成されている。各溝１２は、前方へ開口すると共に、左右両端部が外方へ開口して形成されている。この際、図４に示されるように、複数のサンプル片４それぞれには、複数のサンプル片４を互いに左右方向へ沿って並べて接触させた際に、溝１２，１２同士が互いに対応するようにして、複数の溝１２が形成されている。すなわち、複数のサンプル片４を並べた際に溝１２が左右方向へ沿って連続するように、各サンプル片４に複数の溝１２が形成されている。このようにして、複数のサンプル片４が互いに並べられた際に連続したデザインとなるように、各サンプル片４にデザインが形成されている。
【００２３】
各サンプル片４は、後面に磁石１１が設けられる。一方、前述したように、支持体２は、内部に磁性体５が設けられる。従って、各サンプル片４は、デザインを前方へ向けた状態で、マップ３を介して支持体２に磁力により着脱可能に設けられる。この際、複数のサンプル片４それぞれは、それの持つ色のイメージに対応する色味領域８に配置される。
【００２４】
本実施例の外壁の展示構造１は、それを含む複数の展示物（住宅の構成部材や設備など）が展示される展示施設内に設置される。たとえば、図５に示されるように、本実施例の外壁の展示構造１は、通路１３の折り返し部において、一方の通路１４と他方の通路１５との間に設けられる間仕切壁として用いられる。この際、本実施例の外壁の展示構造１は、一方の通路１４側または他方の通路１５側に複数のサンプル片４が向くようにして配置される。なお、一方の通路１４の外壁の展示構造１と反対側には壁材１６が設けられ、他方の通路１５の外壁の展示構造１と反対側、および折り返し部には他の展示物１７が設けられる。
【００２５】
本実施例の外壁の展示構造１の場合、複数の色味領域８が形成されたマップ３を有し、そのマップ３の色味領域８に適宜に複数のサンプル片４が配置される。従って、色の持つイメージから、リフォーム後の外壁材を選択することができる。また、本実施例の外壁の展示構造１の場合、複数のサンプル片４が支持体２に磁力により着脱可能に保持されるので、支持体２からサンプル片４を容易に取り外したり、支持体２にサンプル片４を容易に取り付けたりすることができる。なお、磁石１１がサンプル片４の上下方向略中央部に設けられるので、サンプル片４の上端部または下端部からマップ３とサンプル片４との間に指を入れて、サンプル片４を容易に取り外すことができる。これにより、マップ３に配置されるサンプル片４の追加や削減を行って、展示内容を容易に変更することができる。また、本実施例の外壁の展示構造１の場合、マップ３が支持体２に磁力により着脱可能に保持される。従って、マップ３が破損したり汚れたりした場合や、色味領域８の内容を変更したりする場合に、容易にマップ３を交換することができる。
【００２６】
ところで、住宅に色の異なる複数の外壁材を用いる場合、一方の外壁材と他方の外壁材との間で表面のデザインが連続する場合がある。本実施例の外壁の展示構造１の場合、並べられた複数のサンプル片４の表面に形成されたデザインが連続するので、色の異なる外壁材が並べられた状態を実際に確認することができる。従って、カタログなどに掲載されている写真の場合と比較して、実物との間のイメージのギャップを抑制することができる。
【００２７】
また、本実施例の外壁の展示構造１の場合、前述したように複数のサンプル片４が支持体２に着脱可能とされるので、複数のサンプル片４を展示施設の窓際や屋外に持って行くことができる。従って、複数のサンプル片４を太陽光の下で確認することができ、住宅に用いられた場合の色合いを実際に確認することができる。この際、厚みのある外壁材であっても、前述したように各サンプル片４が実際に施工される外壁材よりも薄く形成されているので、各サンプル片４を容易に持ち運ぶことができる。さらに、本実施例の外壁の展示構造１の場合、複数のサンプル片４を展示施設の窓際や屋外に持って行き、太陽光の下で、並べられた複数のサンプル片４のデザインや色合いを実際に確認することができる。
【００２８】
本発明の外壁の展示構造は、前記実施例の構成に限らず、適宜変更可能である。たとえば、本実施例の外壁の展示構造１は、複数のサンプル片４それぞれに隣接して配置され、対応するサンプル片４の色の名称の表示がなされた板状のプレート片をさらに備えてもよい。ここで、各プレート片は、マップ３を介して、支持体２に磁力により着脱可能に設けられる。典型的には、プレート片の後面に板状の磁石を設ければよい。この場合、各サンプル片４の色を正確に確認することができる。また、プレート片は、取り外されたサンプル片４を元に戻す際の目印としての役割を果たすことができる。ここで、プレート片が支持体２に磁力により着脱可能とされるので、展示内容の変更時に、支持体２にプレート片を容易に取り付けたり、支持体２からプレート片を容易に取り外したりすることができる。
【産業上の利用可能性】
【００２９】
本発明の外壁の展示構造は、住宅のリフォーム後の外壁材を展示する際に好適に適用される。
【符号の説明】
【００３０】
１  外壁の展示構造
２  支持体
３  マップ
４  サンプル片
８  色味領域
１２  溝
【図１】
2020052185.tif 000003
【図２】
2020052185.tif 000004
【図３】
2020052185.tif 000005
【図４】
2020052185.tif 000006
【図５】
2020052185.tif 000007